(57)【特許請求の範囲】
【請求項１】
上部の表面（１ａ）が平らな山形状に形成されたブロック（１）と、水より重い紐状駆除体（２）と、この紐状駆除体（２）に接続されたフロート（３）とを備え、上記ブロック（１）の上端（１ｂ）に対して紐状駆除体（２）の取り付け部（２ｃ）が上下方向へ着脱自在に係合する構造とし、水面（Ｓ）上からブロック（１）の上端（１ｂ）に対して紐状駆除体（２）の取り付け部（２ｃ）を装着すると共に、フロート（３）が水流や波で動くことにより、該紐状駆除体（２）をブロック（１）の表面（１ａ）に沿って摺動させ、このブロック表面（１ａ）の有害な付着物を取り除いてフレッシュな表面を露出させることを特徴とする沈設型人工漁礁。
【請求項２】
前記水面（Ｓ）上からブロック（１）の上端（１ｂ）に対して紐状駆除体（２）の取り付け部（２ｃ）を装着する時期が、採漁期の後から海藻の発芽期の前までの不毛期間のみである請求項１記載の沈設型人工漁礁。
【請求項３】
前記ブロック（１）の表面（１ａ）に、紐状駆除体（２）の摺動に邪魔とならない形状の乱流発生手段（４）を設けて、ブロック表面（１ａ）に沿って海水の乱流を発生させる請求項１または２記載の沈設型人工漁礁。
【発明の詳細な説明】
【０００１】
【発明の属する技術分野】
本発明は、例えばコンブなどの海藻類を着生させて育成すると共に、この海藻を餌とするウニやアワビなどの蝟集・育成するために使用される沈設型人工漁礁に関する。
詳しくは、ブロック表面の自掃機能を有する沈設型人工漁礁に関する。
【０００２】
【従来の技術】
近年、日本海などの沿岸では、石灰藻の繁茂などに起因してコンブなどの海藻類が消滅する「磯焼け」現象が深刻化している。
それに伴って、海藻を餌とするウニ、アワビの減少や生育不良などを招くため、沿岸の漁業者を中心に海藻の幼葉を食べるウニの除去などの魚場再生事業に取り組んでいる。
そこで、例えば実開昭５７−１８３５１号公報などに開示されるようなブロックを海中に沈設して、海藻の定着を促すためにする手法も一般化している。
ところで、この種の沈設型人工漁礁は、ブロックを海中に沈めてから１年〜２年目頃までは、そのフレッシュな表面に昆布などの海草が確実に着生してウニ・アワビの蝟集効果があるものの、それ以降は海草の着生率が著しく低下し、それに伴ってウニ・アワビの蝟集効果も極めて不良になってしまった。
その主な原因としては、期間経過に伴ってブロックの表面に石灰藻などの雑草が繁茂したり異物が堆積するなどして、フレッシュな表面が有害な付着物により徐々に埋没することが、海草の着生率に悪影響を与えることが判った。
【０００３】
【発明が解決しようとする課題】
しかし乍ら、このような従来の人工漁礁では、ブロックの表面を自ら清掃する機能がないため、潜水夫が潜って清掃作業を行うか、又はクレーン船など大きな機械を使って引き上げて清掃作業を行わなければ、ブロック表面の有害な付着物を取り除いてフレッシュな表面を露出させることができなかった。
このような清掃作業には、潜水夫や大型機械を必要とするため、生産者のみで手軽にメンテナンスを行えず、手間がかかると共にその費用が高価になるという問題がある。
【０００４】
本発明のうち請求項１記載の発明は、簡単な作業でブロック表面の自掃機能を持たせることを目的としたものである。
請求項２記載の発明は、請求項１に記載の発明の目的に加えて、当初の高い海草の着生率及びウニ・アワビの蝟集効果を長期に亘って持続しながら永年に亘り維持管理が生産者自身で行える藻場を広げることを目的としたものである。
請求項３記載の発明は、請求項１または２に記載の発明の目的に加えて、ブロック表面１ａの自掃機能を低下させずに海草の着生率及び育成率を更に向上させることを目的としたものである。
【０００５】
【課題を解決するための手段】
前述した目的を達成するために、本発明のうち請求項１記載の発明は、上部の表面が平らな山形状に形成されたブロックと、水より重い紐状駆除体と、この紐状駆除体に接続されたフロートとを備え、上記ブロックの上端に対して紐状駆除体の取り付け部が上下方向へ着脱自在に係合する構造とし、水面上からブロックの上端に対して紐状駆除体の取り付け部を装着すると共に、フロートが水流や波で動くことにより、該紐状駆除体をブロックの表面に沿って摺動させ、このブロック表面の有害な付着物を取り除いてフレッシュな表面を露出させることを特徴とするものである。
請求項２記載の発明は、請求項１記載の発明の構成に、前記水面上からブロックの上端に対して紐状駆除体の取り付け部を装着する時期が、採漁期の後から海藻の発芽期の前までの不毛期間のみである構成を加えたことを特徴とする。
請求項３記載の発明は、請求項１または２記載の発明の構成に、前記ブロックの表面に、紐状駆除体の摺動に邪魔とならない形状の乱流発生手段を設けて、ブロック表面に沿って海水の乱流を発生させる構成を加えたことを特徴とする。
【０００６】
【作用】
請求項１の発明は、水面上から紐状駆除体の取り付け部を装着するだけで、フロートが水流や波で動くと、それに伴い紐状駆除体がブロックの表面に沿って摺動することにより、該ブロック表面の有害な付着物を取り除いてフレッシュな表面が露出するものである。
請求項２の発明は、請求項１記載の構成に対して、前記水面上からブロックの上端に対して紐状駆除体の取り付け部を装着する時期が、採漁期の後から海藻の発芽期の前までの不毛期間のみである構成を追加したので、不毛期間に亘って紐状駆除体を装着することにより、海藻の着生に悪影響を与えることなく、海藻着生用のブロック表面がリフレッシュされ、このフレッシュなコンクリート面に海中を漂う海藻の胞子が付着して、次年度においても海草が確実に着生する。
請求項３の発明は、請求項１または２記載の構成に対して、前記ブロックの表面に、紐状駆除体の摺動に邪魔とならない形状の乱流発生手段を設けて、ブロック表面に沿って海水の乱流を発生させる構成を追加したので、紐状駆除体の摺動に邪魔とならない形状の乱流発生手段により、ブロック表面沿いに海水の乱流が発生して、海水に含まれる海藻の栄養分が多く供給される。
【０００７】
【発明の実施の形態】
以下、本発明の実施例を図面に基づいて説明する。
この実施例は、図１及び図２に示す如く、沈設型人工漁礁Ａを海中の岩場に略水平となるように沈めて設置することにより、海藻定着用として使用される場合を示すものである。
【０００８】
上記ブロック１は、例えばコンクリート又は石材で、その上部の表面１ａが平らに連続する図示される略多角錘形状か又は円錐形状などの山形状に一体形成され、特に設置時の利便性を優先して、一般的なトレーラーで運搬できるように直径約３メートル以下、重さ約９〜２９トン以下にすることが好ましい。
本実施例の場合には、その上端中心部から内部に亙って係合穴１ｂを鉛直方向へ開設している。
【０００９】
また、ブロック１の下部には、複数本の脚１ｃ…を連設して、海底面Ｂとの間に海水が通過可能な薄暗い空間スペース１ｄを区画形成し、この薄暗い空間スペース１ｄが特にアワビなどの夜行性動物が日中における生息場所として利用されるようにする。
【００１０】
上記紐状駆除体２は、水より重い例えば鉄などの金属製チェーンからなり、本実施例の場合には一連の主幹部２ａと、その途中から分岐するように連結された複数連の枝部２ｂ…とで構成している。
なお、上述した構成に限定されず、紐状駆除体２の重量が重くて移動し難い時には枝部２ｂ…を連結せずに一連の主幹部２ａだけでも良い。
【００１１】
更に図示例では、紐状駆除体２のチェーンが略楕円形状のリングを多数繋いだ場合を示しているが、これに限定されず、例えば三角形状などの角が鋭角な形状のリングを繋いだり、その外面に複数の突起部を設けるか、又は雑草を切り取るためのカッターを突設しても良い。
【００１２】
そして、上記紐状駆除体２にはフロート３が接続され、このフロート３を海流や波などの自然力で動くことにより、該紐状駆除体２をブロック１の表面１ａに沿って移動させる。
このフロート３の浮力は、ブロック１の設置場所によってその高さ寸法及び紐状駆除体２の重量や長さ寸法に対応して調整可能にすることが好ましい。
【００１３】
本実施例の場合には、この紐状駆除体２の先端側に例えばロープなどの連絡紐３ａを介して中空な球形の浮玉３が接続され、これを海面上か又は海面近くに浮遊させると共に、必要に応じて上記紐状駆除体２の途中に一個又は複数個の海中フロート３ｂを連結することにより、紐状駆除体２全体の重量を軽くして動き易くなるようにしても良い。
【００１４】
また、上記紐状駆除体２の取り付け部２ｃを、ブロック１の上端に対して上下方向へ着脱自在に係合する構造とし、水面Ｓ上からブロック１の上端に対して紐状駆除体２の取り付け部２ｃを装着することにより、図２の矢印に示す如く該紐状駆除体２の全体がブロック１の表面１ａに沿って周方向へ旋回移動自在に支持される。
【００１５】
本実施例の場合には、紐状駆除体２の基端に例えば鉄などの金属で棒状に形成した取り付け部２ｃが連結されると共に、この棒状取り付け部２ｃの上端に係止環２ｄが突設され、この係止環２ｄに対し、ロープＲの先端に固着したフックＦを引っ掛けて、水面Ｓ上の船から該棒状取り付け部２ｃを昇降させることにより、ブロック１上端の係合穴１ｂに嵌挿して装着される構造にしている。
【００１６】
更に図示例では、上記棒状取り付け部２ｃに対して、紐状駆除体２の基端に連結された係止リング２ｅを遊動自在に嵌合させることにより、該棒状取り付け部２ｃ自体がブロック１上端の係合穴１ｂ内で回転しなくても、紐状駆除体２の全体がブロック表面１ａに沿ってスムーズに周方向へ旋回移動するようになっている。
【００１７】
また必要に応じて、前記ブロック１の表面１ａには、紐状駆除体２の摺動に邪魔とならない形状の乱流発生手段４を設けることにより、ブロック表面１ａに沿って海水の乱流を発生させることが好ましい。
【００１８】
本実施例の場合には、この乱流発生手段４が、ブロック１の放射方向へ直線状に延びるように複数設けた断面円弧状の凸部４ａ…と、ブロック表面１ａに凹設された空間部１ｅを覆うように設けた複数枚の多孔板４ｂ…とで構成され、海水の流れ方向に応じて放射方向の凸部４ａ…に突き当たったり、多孔板４ｂの貫通孔を通って海水がブロック表面１ａの空間部１ｅへ出入りすることにより、細かな乱流がブロック表面１ａの全面に亘って略均等に発生するようにしている。
【００１９】
この乱流発生手段４は上述したものに限定されず、ブロック１の設置場所や周囲の地形や海象条件などの変化要因に対応して、図示せぬがこれら凸部４ａ…及び多孔板４ｂ…のどちらか一方のみを設けるか、或いは放射方向の凸部４ａ…に代えて、ブロック１の中央を中心とした周方向へ円弧状に延びるように凸部を適宜間隔毎に複数設けたり、断面円弧状やそれ以外の形状に形成された放射方向又は周方向へ延びる凹部を設けても良い。
【００２０】
次に、斯かる沈設型人工漁礁Ａの取り扱い方法及び作用について説明する。
先ず、ブロック１を海中に沈めてから１年〜２年目頃までは、実験により、そのフレッシュなブロック表面１ａにコンブなどの海草が確実に着生してウニやアワビが十数個単位で生育していることを確認した。
このように高い海草の着生率及びウニ・アワビの蝟集効果が持続している間は、紐状駆除体２を装着する必要がない。
【００２１】
その後、海藻類やウニ・アワビの採漁期が経過した後の時点で、ブロック表面１ａに例えば石灰藻などの雑草が繁茂したり異物が堆積するなどして、フレッシュなコンクリート表面１ａの大部分が有害な付着物により埋没されたことを確認した時には、この採漁期後から海藻の発芽期の前までの不毛期間のみに亘って、水面Ｓ上から紐状駆除体２の取り付け部２ｃをブロック１の上端に装着する。
【００２２】
この装着作業を行うだけで、フロート３が海流や波などの自然力により動くと、それに伴い図２の矢印に示す如く、紐状駆除体２がブロック１の表面１ａに沿って周方向へ旋回移動しながら摺動する。
【００２３】
それにより、該ブロック表面１ａに繁茂した石灰藻などの雑草や堆積物などの有害な付着物を取り除いてフレッシュなコンクリート面が露出し、海藻の着生に悪影響を与えることなく、海藻着生用のブロック表面１ａがリフレッシュされ、このフレッシュなコンクリート面に海中を漂う海藻の胞子が付着して、次年度においても海草が確実に着生する。
【００２４】
その結果、簡単な作業でブロック表面１ａの自掃機能を持たせることでき、当初の高い海草の着生率及びウニ・アワビの蝟集効果を長期に亘って持続しながら永年に亘り維持管理が生産者自身で行える藻場を広げることができる。
【００２５】
更に本実施例の場合には、上記紐状駆除体２の摺動に邪魔とならない形状の乱流発生手段４により、ブロック表面１ａ沿いに海水の乱流が発生して、海水に含まれる海藻の栄養分が多く供給される。
その結果、ブロック表面１ａの自掃機能を低下させずに海草の着生率及び育成率を更に向上できるという利点がある。
【００２６】
一方、図３及び図４と図５（ａ）〜（ｃ）に示すものは、夫々が本発明の他の実施例である。
図３及び図４に示すものは、前記乱流発生手段４が、ブロック１の放射方向へ直線状に延びるように複数設けた断面円弧状の凸部４ｃ…と、ブロック表面１ａからブロック１下部の空間スペース１ｄに亘って開穿した複数の貫通孔４ｄ…とからなる構成が、前記図１及び図２に示した実施例とは異なり、それ以外の構成は図１及び図２に示した実施例と同じものである。
【００２７】
従って、図３及び図４に示すものは、海水の流れ方向に応じて放射方向の凸部４ｃ…に突き当たったり、貫通孔４ｄ…を通って海水がブロック表面１ａからブロック１下部の空間スペース１ｄへ出入りすることにより、細かな乱流がブロック表面１ａの全面に亘って略均等に発生して、図１及び図２に示した実施例と同様に海水に含まれる海藻の栄養分が多く供給される。
その結果、ブロック表面１ａの自掃機能を低下させずに海草の着生率及び育成率を更に向上できるという利点がある。
【００２８】
この乱流発生手段４も上述したものに限定されず、ブロック１の設置場所や周囲の地形や海象条件などの変化要因に対応して、図示せぬがこれら凸部４ｃ…及び貫通孔４ｄ…のどちらか一方のみを設けるか、或いは放射方向の凸部４ｃ…に代えて、ブロック１の中央を中心とした周方向へ円弧状に延びるように凸部を適宜間隔毎に複数設けたり、断面円弧状やそれ以外の形状に形成された放射方向又は周方向へ延びる凹部を設けても良い。
【００２９】
更に図５（ａ）〜（ｃ）に示すものは、前記紐状駆除体２の変形例である。
図５（ａ）のものは、前記棒状取り付け部２ｃに略くの字形の支持アーム２ｆの中央部を連設し、この支持アーム２ｆに複数本の枝状チェーン２ｇ…の一端を適宜間隔毎に垂下するように連結すると共に、複数個の海中フロート３ｃ…を連結し、これら海中フロート３ｃ…が海流や波などの自然力で動くことにより、該枝状チェーン２ｇ…をブロック表面１ａに沿って移動させる構成が、前記図１及び図２に示した実施例とは異なり、それ以外の構成は図１及び図２に示した実施例と同じものである。
【００３０】
図示例の場合には、棒状取り付け部２ｃに対して支持アーム２ｆの中央部を遊動自在に嵌挿させることにより、該棒状取り付け部２ｃがブロック１上端の係合穴１ｂ内で回転しなくても、支持アーム２ｆ及び枝状チェーン２ｇ…の全体がブロック表面１ａに沿ってスムーズに周方向へ旋回移動するようになっている。
更に必要に応じて支持アーム２ｆに複数枚の潮流受け板２ｈ…を固着することより、潮流の変化に伴って支持アーム２ｆ及び枝状チェーン２ｇ…の全体が合わせて周方向へ旋回移動するようにしても良い。
【００３１】
図５（ｂ）のものは、前記棒状取り付け部２ｃに支持アーム２ｆの中央部を連設し、この支持アーム２ｆに一連のチェーン２ｉ…を等間隔毎に連結して夫々が略半円状に垂下するように掛け渡すと共に、複数個の海中フロート３ｃ…を連結し、これら海中フロート３ｃ…が海流や波などの自然力で動くことにより、該チェーン２ｉ…の半円状垂下部をブロック表面１ａに沿って移動させる構成が、前記図１及び図２に示した実施例とは異なり、それ以外の構成は図１及び図２に示した実施例と同じものである。
【００３２】
図５（ｃ）のものは、前記棒状取り付け部２ｃに対して、並列な複数連のチェーン２ｊ…の基端が係止リング２ｅを介して連結され、これらチェーン２ｊ…の先端側に例えばロープなどの連絡紐３ａを介してフロート（浮玉）３が接続されると共に、必要に応じて上記チェーン２ｊ…の途中に一個又は複数個の海中フロート３ｂを連結し、このフロート（浮玉）３及び海中フロート３ｂが海流や波などの自然力で動くことにより、該チェーン２ｊ…をブロック表面１ａに沿って移動させる構成が、前記図１及び図２に示した実施例とは異なり、それ以外の構成は図１及び図２に示した実施例と同じものである。
【００３３】
従って、図５（ａ）〜（ｃ）に示すものは、水面Ｓ上から棒状取り付け部２ｃを装着するだけで、図１及び図２に示した実施例と同様に海流や波などの自然力により、ブロック表面１ａの有害な付着物を取り除いてフレッシュな表面が露出する。
その結果、簡単な作業でブロック表面１ａの自掃機能を持たせることができるという利点がある。
【００３４】
尚、前示実施例では、沈設型人工漁礁Ａを海中の岩場に沈めて海藻定着用に使用される場合を示したが、これに限定されず、海中の岩場以外に別の目的で設置しても良い。
更に紐状駆除体２の基端に連結された棒状の取り付け部２ｃを、ブロック１上端中心部の係合穴１ｂに嵌挿して装着させる場合を示したが、これに限定されず、図示せぬが例えばブロック１の上端中心部に突設した鉛直な棒状物に対して、紐状駆除体２の他端に連結されたリングを嵌挿して抜け止めすることにより装着させたり、ブロック１の上端中心部以外の場所に取り付け部２ｃを装着するなど、水面Ｓ上から簡単な作業で装着できれば、それ以外の構造であっても良い。
【００３５】
また、ブロック１の上部を多角錘形状か又は円錐形状に形成したが、これに限定されず、例えば半球状などのドーム型であっても良い。
更に、ブロック１の表面１ａには紐状駆除体２の摺動に邪魔とならない形状の乱流発生手段４を設けたが、これに限定されず、乱流発生手段４を設けずに平らな表面のみでも良い。
【００３６】
【発明の効果】
以上説明したように、本発明のうち請求項１記載の発明は、水面上から紐状駆除体の取り付け部を装着するだけで、フロートが水流や波で動くと、それに伴い紐状駆除体がブロックの表面に沿って摺動することにより、該ブロック表面の有害な付着物を取り除いてフレッシュな表面が露出するので、簡単な作業でブロック表面の自掃機能を持たせることができる。
従って、潜水夫やクレーン船などの大型機械を使わなければブロック表面の清掃作業ができなかった従来のものに比べ、潜水夫や大型機械を必要とせずに生産者のみで手軽にメンテナンスが可能となり、大幅な省力化を実現できて費用の低減が図れる。
【００３７】
請求項２の発明は、請求項１の発明の効果に加えて、不毛期間に亘って紐状駆除体を装着することにより、海藻の着生に悪影響を与えることなく、海藻着生用のブロック表面がリフレッシュされ、このフレッシュなコンクリート面に海中を漂う海藻の胞子が付着して、次年度においても海草が確実に着生するので、当初の高い海草の着生率及びウニ・アワビの蝟集効果を長期に亘って持続しながら永年に亘り維持管理が生産者自身で行える藻場を広げることができる。
従って、「磯焼け」による藻場の復元に貢献でき、昆布やウニ・アワビなどの商品価値の高い水産資源の蝟集・育成を高めることができる。
【００３８】
請求項３の発明は、請求項１または２の発明の効果に加えて、紐状駆除体の摺動に邪魔とならない形状の乱流発生手段により、ブロック表面沿いに海水の乱流が発生して、海水に含まれる海藻の栄養分が多く供給されるので、ブロック表面１ａの自掃機能を低下させずに海草の着生率及び育成率を更に向上できる。
【図面の簡単な説明】
【図１】  本発明の一実施例を示す沈設型人工漁礁の一部切欠正面図であり、紐状駆除体の装着状態を実線で示している。
【図２】  同平面図である。
【図３】  本発明の他の実施例を示す沈設型人工漁礁の一部切欠正面図であり、紐状駆除体の装着状態を実線で示している。
【図４】  同平面図である。
【図５】  （ａ）〜（ｃ）は紐状駆除体の変形例を示した部分的な縮小正面図である。
【符号の説明】
Ｓ  水面                        １  ブロック
１ａ  表面（ブロック表面）      １ｂ  上端（係合穴）
２  紐状駆除体                  ２ｃ  取り付け部（棒状取り付け部）
３  フロート                    ４  乱流発生手段
【図１】
0003760132.tif 000002
【図２】
0003760132.tif 000003
【図３】
0003760132.tif 000004
【図４】
0003760132.tif 000005
【図５】
0003760132.tif 000006